(57)【要約】【課題】浴槽底部で自立し、ケースの下方の孔部からケース内に流入した湯が電気ヒータによって加熱されて上昇し、ケースの上方の孔部から流出する循環流を生じさせる浴槽用湯保温具に関する。【解決手段】下部に脚部を有して自立するケースと、該ケースの上下に穿設されてケースの内外に浴槽の湯が循環可能な孔部と、通電コードと接続されて前記ケース内の上部に固定されると共に気密状に密封された制御ボックスと、該制御ボックスの下面から下方に突出するヒータと、該ヒータと離間した位置で並び前記制御ボックスの下面から垂下するガイド軸と、該ガイド軸に中央の孔が嵌挿し昇降自在に装着されたフロートと、該フロートに内蔵された磁石と、前記ガイド軸に内蔵されてフロートの昇降でスイッチがＯＮ−ＯＦＦに切り替わるリードスイッチとからなることを特徴とする。【選択図】図１
0003103056.tif 000002
【実用新案登録請求の範囲】
【請求項１】
下部に脚部を有して自立するケースと、該ケースの上下に穿設されてケースの内外に浴槽の湯が通水可能な孔部と、通電コードと接続されて前記ケース内の上部に固定されると共に気密状に密封された制御ボックスと、該制御ボックスの下面から下方に突出するヒータと、該ヒータと離間した位置で並び前記制御ボックスの下面から垂下するガイド軸と、該ガイド軸に中央の孔が嵌挿し昇降自在に装着されたフロートと、該フロートに内蔵された磁石と、前記ガイド軸に内蔵されてフロートの昇降でスイッチがＯＮ−ＯＦＦに切り替わるリードスイッチとからなり、
浴槽底部で自立し、ケースの下方の孔部からケース内に流入した湯が電気ヒータによって加熱されて上昇し、ケースの上方の孔部から流出する循環流を生じさせてなることを特徴とする浴槽用湯保温具。
【請求項２】
ヒータが、シーズヒータからなっており、左右一対で略直線状に延びる基部と、フロートの下方に離間した位置で前記基部から延びて外側に大きく湾曲して基部間を一体に連設する大径部とからなっていることを特徴とする請求項１に記載の浴槽用湯保温具。
【考案の詳細な説明】
【技術分野】
【０００１】
本考案は、浴槽中の湯の温度を下げないように保温する浴槽用湯保温具に関する。
【背景技術】
【０００２】
従来、追い焚きのできない浴槽において、湯の温度を下げないように保温する装置として、特開平７−１３９８０４号の投込型ヒーターが知られている。
しかし、この投込型ヒーターでは、ヒーターのＯＮ／ＯＦＦをマニュアルで行う必要があり、操作しにくかった。
そこで、特開２０００−３１０４４４号の浴槽保温器では、フロートを設けてヒータのスイッチのＯＮ／ＯＦＦを行うようにした。
この保温機では、フロートスイッチが、上端にマグネットを取り付けたフロートと、該マグネットとの対向位置に湯水の侵入を防止する隔壁を挟んで配備したマグネット付きの作動片と、作動片の動きによってＯＮ−ＯＦＦする接点とによって構成され、フロートの上昇によってフロートと作動片の夫々のマグネットの反発で作動片が動いてスイッチＯＮとなる。
しかし、ヒータが棒状ヒータからなり、フロートスイッチが上下に長く形成されているので、小型化が図りにくく、熱効率の点でも問題がある。
【特許文献１】特開２０００−３１０４４４号公報
【考案の開示】
【考案が解決しようとする課題】
【０００３】
本考案は、上記事情に鑑みて創案されたものであって、フロートスイッチを小型化することにより、浴槽用湯保温具の形状の自由度を広げることにある。
【課題を解決するための手段】
【０００４】
上記課題を解決するために、請求項１の考案では、
下部に脚部を有して自立するケースと、該ケースの上下に穿設されてケースの内外に浴槽の湯が通水可能な孔部と、通電コードと接続されて前記ケース内の上部に固定されると共に気密状に密封された制御ボックスと、該制御ボックスの下面から下方に突出するヒータと、該ヒータと離間した位置で並び前記制御ボックスの下面から垂下するガイド軸と、該ガイド軸に中央の孔が嵌挿し昇降自在に装着されたフロートと、該フロートに内蔵された磁石と、前記ガイド軸に内蔵されてフロートの昇降でスイッチがＯＮ−ＯＦＦに切り替わるリードスイッチとからなり、浴槽底部で自立し、ケースの下方の孔部からケース内に流入した湯が電気ヒータによって加熱されて上昇し、ケースの上方の孔部から流出する循環流を生じさせてなる、という技術的手段を講じている。
【０００５】
また、請求項２の考案では、
前記ヒータが、シーズヒータからなっており、左右一対で略直線状に延びる基部と、フロートの下方に離間した位置で前記基部から延びて外側に大きく湾曲して基部間を一体に連設する大径部とからなっている、という技術的手段を講じている。
【考案の効果】
【０００６】
本考案の浴槽用湯保温具は、フロートを小型化し、浴槽内でケースを通って循環する流れを生じさせ、浴槽内で湯の温度を部分的に加熱させずに上昇させることができる。
また、フロートを小型化しうるので、フロートの下方離間位置でヒータを曲げて延ばし、湯との接触面積を広げて加熱効率を高めることができる。
【考案を実施するための最良の形態】
【０００７】
以下に、この考案の浴槽用湯保温具の好適実施例について図面を参照しながら説明する。
【実施例１】
【０００８】
図１および図２に示すように、浴槽用湯保温具１は、ケース２と、該ケース２の下部に突設された脚部３と、ケース２の上下に穿設された上方の孔部ないし隙間４ａおよび下方の孔部４ｂと、ケース１に内蔵された制御ボックスと、制御ボックスの下方に設けたフロートスイッチ６および電気ヒータ７とからなっている。
【０００９】
ケース２は、本実施例の場合、中空の截頭円錐状からなる本体２ａと、該本体２ａの上端に取り付けられた上蓋２ｂと、下端に取り付けられた下蓋２ｃとによって構成される。
本体２ａは上下両端が開口されており、該開口を塞ぐ下蓋２ｃには等間隔に複数（図示例では３つ）の短い脚部３を外側に広がるように斜め下向きに突設している。
また、上蓋２ｂと本体２ａとのつなぎ目には円弧状に湾曲したハンドル８が取り付けられる。
【００１０】
下蓋２ｃの底面には多数の下方の孔部４ｂが穿設されている。
また、上蓋２ｂには上方の孔部４ａが開口され、中央には直径方向に延びる仕切部１１が形成されている。
そして、前記ハンドル８にはその中央で筒部１２が下向きに突設されており、前記仕切部１１の中心に穿設された孔を嵌挿している。
【００１１】
上蓋２ｂの下方には制御ボックス５が本体２ａないし上蓋２ｂに固定されてケース２内部に収容される。
上記制御ボックス５は、中空の直方体に形成されており、フロートスイッチ６により電気ヒータ７をＯＮ−ＯＦＦ制御する構成となっているが、ヒータ７の加熱温度を一定に制御したり、ヒータの温度や湯の温度をセンサで検知してヒータ温度を自動制御する制御回路を設けてもよい。
【００１２】
この制御ボックス５の上面中央に前記筒部１２が一体に固定されており、また、下面には電気ヒータ７と、一端寄りにフロートスイッチ６を構成するガイド軸１５が下向きに突設している。
従って、上記ガイド軸１５に並んで電気ヒータ７が取り付けられる。
このガイド軸１５には、中央に孔を穿設した略ドーナツ状のフロート６ａが嵌挿されており、昇降自在に装着されている。
なお１５ａはフロート６ａが抜け落ちないようにガイド軸１５に固着された下限のストッパであり、１５ｂはガイド軸１５の基端となる制御ボックス５の底面でフロート６ａと衝合する上限のストッパである。
【００１３】
フロート６ａは、例えば発泡させた合成樹脂や、合成樹脂製の中空体など浮力の大きい素材が用いられている。
そして、図４および図５に示すように、該フロート６ａには中央のガイド軸１５に外嵌して摺動する孔の内周に沿って極性を異にし上下に並べて一体にした磁石１６を中途位置に内蔵、固定している。
【００１４】
前記ガイド軸１５にはフロート６ａの昇降でスイッチがＯＮ−ＯＦＦに切り替わるリードスイッチ６ｂが内蔵されている。
リードスイッチ６ｂは、不活性ガスを封入したガラス管内に２本の強磁性のリードＬ１、Ｌ２が一端に間隔（接点）Ｓを持って対峙して封入されている。
【００１５】
このリードスイッチ６ｂは、図４に示すようにフロート６ａの上昇により磁石１６が上昇しリードの接点Ｓに接近して接点Ｓを閉じ（ＯＮ）てヒータ７へ通電する。
また、図５に示すようにフロート６ａの下降により磁石１６が前記接点Ｓから離れ下方へ移動することにより接点を開（ＯＦＦ）いてヒータ７への通電を遮断する。
このようにしてフロート６ａとリードスイッチ６ｂからなるフロートスイッチ６が構成される。
【００１６】
電気ヒータ７は、左右一対のシーズヒータからなっており、各シーズヒータは、左右一対で略直線状に延びる基部７ａと、フロートの下方に離間した位置で前記基部から延びて外側に大きく湾曲して基部間を一体に連設する拡大部７ｂとからなっている。
【００１７】
図示例で拡大部７ｂは基部７ａから直角に曲がってフロートスイッチ６の下方離間位置で水平に延びている。
これにより、電気ヒータ７を下方で長く形成することができ、加熱時の接触面積を広げることができる。
【００１８】
通電コード９は、その先端には漏電遮断機能付きのプラグ１９が取り付けられており、コード９の途中には中間スイッチ１８を設けている。
そして、通電コード９の先端は、前記ハンドル８の筒部１２を通り、制御ボックス５に接続されて給電可能となっている。
【００１９】
上記構成からなっているので、図３に示すように、通電コード９を電源に繋ぎ浴槽Ｂに浴槽用湯保温具１を投入し、浴槽Ｂの底に自立させてセットする。
なお、使用に際しては、中間スイッチ１８をＯＮに切り換えて通電状態とする。
そして、ケース２の下方の孔部４ｂや上方の孔部や隙間４ａからケース２内に進入した浴槽Ｂ内の湯によって、フロート６ａがガイド軸６１に沿って上昇し、フロート６ａ内の磁石Ｍ１、Ｍ２がガイド軸６１に内蔵されたリードスイッチ６ｂを図５のＯＦＦから図４のＯＮに切り替え、ヒータ７に通電がなされ加熱される。
【００２０】
これによりケース２内の湯が加熱されて上昇し、ケース２の上方の孔部や隙間４ａから浴槽Ｂ内へ流出し、同時にケース２の下方の孔部４ｂから湯をケース２内に流入し、この流出と流入を繰り返して対流を生じさせて、浴槽内の湯を循環する。
【００２１】
また、浴槽Ｂ内の湯の水位が一定以下となると、フロート６ａは下降し、リードスイッチ６ｂがＯＦＦとなって電気ヒータ７への通電は遮断される。
なお、前記制御ボックス５には、センサによって電気ヒータ７の温度を検知し、ヒータ７が所定温度を超えた場合に通電を遮断するサーモスタットが組込まれており、過熱や空焚きを防ぐこともでき、また省電力が行える。
【実施例２】
【００２２】
図６に示す浴槽用湯保温具１はケース２を縦長にした異なる実施例であって、実施例１の浴槽用湯保温具１と同様に、ケース２と、該ケース２の下部に突設された脚部３と、ケース２の上下に穿設された上方の孔部４ａおよび下方の孔部４ｂと、ケース２に内蔵された制御ボックス５と、制御ボックス５の下方に設けたフロートスイッチ６および電気ヒータ７とからなっている。
【００２３】
そして、ケース２は、中空で中央に縊れを有する略円筒形状の本体２ａと、該本体２ａの上端に取り付けられた上蓋２ｂと、下端に取り付けられた下蓋２ｃとによって構成される。
また、電気ヒータ７は、制御ボックス５から左右一対に延びる基部７ａと、基部７ａ先端を繋いで大径の円弧形状に形成された拡大部７ｂとからなっている。
【００２４】
その他の構成は、前記実施例１と同様であるので、その説明を省略する。
この場合も、同様に、フロートスイッチを用いてヒータを加熱し、浴槽の湯を循環させて加熱することができる。
また、縦長とし、フロートスイッチの下方のスペースを広げることで、湯を多く取り込むことができ、またヒータも下方を大径部として加熱効率を高めることができる。
【００２５】
上記実施例では、いずれも浴槽の湯を保温することを目的とし、それに応じた電子ヒータを用いたが、加熱能力の高い電子ヒータを用いて保温だけでなく、更に湯を加熱する構成としてもよい。
その他この考案の要旨を変更しない範囲で種々設計変更しうること勿論である。
【図面の簡単な説明】
【００２６】
【図１】実施例１の浴槽用湯保温具の内部を断面で示す説明図である（実施例１）
【図２】図１の浴槽用湯保温具の斜視図である。
【図３】図１の浴槽用湯保温具の使用状態を説明する図である。
【図４】フロートスイッチのＯＦＦ状態を説明する図である（実施例１）。
【図５】フロートスイッチのＯＮ状態を説明する図である（実施例１）。
【図６】実施例２の浴槽用湯保温具の内部を断面で示す説明図である（実施例２）。
【符号の説明】
【００２７】
１    浴槽用湯保温具
２    ケース
２ａ  本体
２ｂ  上蓋
２ｃ  下蓋
３    脚部
４ａ  上方の孔部
４ｂ  下方の孔部
５    制御ボックス
６    フロートスイッチ
６ａ  フロート
６ｂ  リードスイッチ  
７    電気ヒータ
７ａ  基部
７ｂ  拡大部
８    ハンドル
９    通電コード
１１    仕切部
１２    筒部
１５    ガイド軸
１６    磁石
１８    中間スイッチ
１９    プラグ  
Ｂ    浴槽
Ｌ１、Ｌ２  リード
Ｓ    接点
【図１】
0003103056.tif 000003
【図２】
0003103056.tif 000004
【図３】
0003103056.tif 000005
【図４】
0003103056.tif 000006
【図５】
0003103056.tif 000007
【図６】
0003103056.tif 000008